(57)【要約】【課題】水中モータを確実に冷却可能な水中ポンプを提供すること。【解決手段】複数のインペラを収納する多段ポンプ１３と、多段ポンプ１３の最上段に接続され、多段ポンプ１３で増圧した水を二次側に供給する吐出ケーシング１４と、多段ポンプ１３の最下段に接続され、多段ポンプ１３内に水を供給する吸込ケーシング１１と、吸込ケーシング１１に接続された水中モータ１０と、吸込ケーシング１１及び水中モータ１０を覆うとともに、水中モータ１０とその内周面との間の隙間を所定の断面積とする流路部材１７と、を備える構成とする。【選択図】      図１
2014145332.tif 000002
【特許請求の範囲】
【請求項１】
複数のインペラを収納する多段ポンプと、
前記多段ポンプの最上段に接続され、前記多段ポンプで増圧した水を二次側に供給する吐出ケーシングと、
多段ポンプの最下段に接続され、前記多段ポンプ内に水を供給する吸込ケーシングと、
前記吸込ケーシングに接続された水中モータと、
前記吸込ケーシング及び前記水中モータを覆うとともに、前記水中モータとその内周面との間の隙間を所定の断面積とする流路部材と、
を備えることを特徴とする水中ポンプ。
【請求項２】
前記流路部材は、
前記吐出ケーシングに設けられ、雌ねじ孔を有するフランジ部と、
前記多段ポンプ、前記吸込ケーシング及び前記水中モータの延設方向に沿って設けられ、その端部に前記雌ねじ孔に締結される締結部材が挿通される孔部を有する円筒状の流路管と
を具備することを特徴とする請求項１に記載の水中ポンプ。
【請求項３】
前記フランジ部は、その外周縁に形成された、前記流路管と係合可能な円環状の係合部を有することを特徴とする請求項２に記載の水中ポンプ。
【請求項４】
前記水中モータは、電源ケーブルに接続され、
記第フランジ部は、切欠部が形成され、前記流路管と接続したときに前記電源ケーブルを挿通可能に切欠部の一部が開口することを特徴とする請求項２に記載の水中ポンプ。
【発明の詳細な説明】
【技術分野】
【０００１】
本発明は、井戸等に設置される水中ポンプに関する。
【背景技術】
【０００２】
現在、井戸等で水や温泉水、海水等の湯水を揚水するポンプとして、井戸用の水中ポンプが知られている（例えば特許文献１）。このような水中ポンプは、回転軸に所定の間隔で複数のインペラを固定し、これらインペラをケーシング内にそれぞれ収納させることで、ポンプが多段に連結される構成である。
【０００３】
このような水中ポンプは、水中モータの上部に多段ポンプが配置される構成である。このため、水中ポンプは、水中モータの上部から水を吸込む構成である。しかし、水中モータは、その冷却を周囲の水により冷却を行うため、当該水中モータの周囲を流れる水の最低流速が決められている。
【先行技術文献】
【特許文献】
【０００４】
【特許文献１】実開平６−８７９１号公報
【発明の概要】
【発明が解決しようとする課題】
【０００５】
上述した水中ポンプでは、以下の問題があった。即ち、上述した水中ポンプにおいては、水中モータの周囲を流れる水の流速を水中モータを冷却可能な最低流速とするために、水中モータの外面と井戸の内周面との間隔を所定の間隔として、当該水中モータ及び井戸の内周面との間の水の流路を所定の断面積とする必要がある。
【０００６】
例えば、流路断面積が所定の断面積以上となると、水中モータの周囲を流れる水の流速が最低流速よりも遅くなり、水中モータの冷却が適切に行えなくなる虞がある。
【０００７】
このため、水中モータの下方の水が多段ポンプの吸込部へと流れるに際し、水中ポンプと井戸との間の流路が最低流速以上となる断面積とするために、水中ポンプは、使用可能な井戸の内径が制限される、という問題があった。このため、井戸の内径に関わらず最低流速を維持し、水中モータを確実に冷却が可能な水中ポンプの要望があった。
【０００８】
そこで本発明は、水中モータを確実に冷却可能な水中ポンプを提供することを目的とする。
【課題を解決するための手段】
【０００９】
前記課題を解決し目的を達成するために、本発明の水中ポンプは、次のように構成されている。
【００１０】
本発明の一態様として、複数のインペラを収納する多段ポンプと、前記多段ポンプの最上段に接続され、前記多段ポンプで増圧した水を二次側に供給する吐出ケーシングと、多段ポンプの最下段に接続され、前記多段ポンプ内に水を供給する吸込ケーシングと、前記吸込ケーシングに接続された水中モータと、前記吸込ケーシング及び前記水中モータを覆うとともに、前記水中モータとその内周面との間の隙間を所定の断面積とする流路部材と、を備える。
【発明の効果】
【００１１】
本発明によれば、水中モータを確実に冷却することが可能な水中ポンプを提供することが可能となる。
【図面の簡単な説明】
【００１２】
【図１】本発明の一実施の形態に係る水中ポンプの構成を一部断面で示す説明図。
【図２】同水中ポンプの要部構成を示す上面図。
【図３】同水中ポンプの要部構成を示す断面図。
【発明を実施するための形態】
【００１３】
以下、本発明の一実施の形態に係る水中ポンプ１を、図１乃至図３を用いて説明する。  
図１は本発明の一実施の形態に係る水中ポンプ１の構成を一部断面で示す説明図、図２は水中ポンプ１に用いられる要部、さらに言えば流路部材１７に用いられるフランジ部２３の構成を示す上面図、図３は、図２中ＩＩＩ−ＩＩＩ断面で吐出ケーシング１４及び流路部材１７の構成を示す断面図である。なお、図１乃至図３中、Ｂは締結部材を、Ｆは流体の流れを、Ｖは井戸を、Ｗは井戸水を、それぞれ示している。
【００１４】
図１に示すように、水中ポンプ１は、例えば、井戸Ｖに配置される井戸用水中ポンプであり、少なくともその一部が井戸Ｖ内の流体、例えば井戸水Ｗの水面下に位置する。水中ポンプ１は、水中モータ１０と、吸込ケーシング１１と、多段ポンプ１３と、吐出ケーシング１４と、固定バンド１５と、電源ケーブル１６と、流路部材１７と、ストレーナ１８と、を備えている。
【００１５】
水中モータ１０は、電源ケーブル１６を介して外部電源に接続されている。この水中モータ１０は、水中モータ１０の駆動軸が、例えば継手等を介して多段ポンプ１３の回転軸に接続されている。
【００１６】
吸込ケーシング１１は、水中モータ１０の上部に設けられ、多段ポンプ１３の最下段に接続される。吸込ケーシング１１は、略円筒状に形成されるとともに、その下部に水中モータ１０の外郭部材（モータケーシング）とボルト等により組み付く。吸込ケーシング１１は、井戸水を多段ポンプ１３に吸込む吸込口を有している。また、吸込ケーシング１１は、その吸込口を覆ってストレーナ１８が設けられる。
【００１７】
多段ポンプ１３は、吸込ケーシング１１の上部に固定された複数のケーシング１３ａと、複数のケーシング１３ａの内部に亘って延設された回転軸と、回転軸に固定されケーシング１３ａにそれぞれ収納される複数のインペラと、を備えている。
【００１８】
吐出ケーシング１４は、例えば固定バンド１５の他方が固定されるとともに、多段ポンプ１３の最上段に接続される下部ケーシング２１と、この下部ケーシング２１にボルト等の締結部材Ｂにより結合され、吐出配管等に接続される上部ケーシング２２とを備えている。また、吐出ケーシング１４は、上部ケーシング２２の上面に形成されたフランジ及び吐出管のフランジ間に締結部材Ｂにより結合される、流路部材１７の一部を成すフランジ部２３を備えている。
【００１９】
図２に示すように、フランジ部２３は、円盤状に形成され、少なくとも水中モータ１０、吸込ケーシング１１、多段ポンプ１３、吐出ケーシング１４及び固定バンド１５の外面よりも径方向に延出するように、大径に形成される。なお、ここで、フランジ部２３の外径は、後述する流路部材１７の流路管３２と略同一径に形成されている。
【００２０】
また、フランジ部２３は、その外周縁に設けられた円環状に切欠する係合部２４と、その外周部からフランジ部２３の中心に向かって一部切欠する切欠部２５と、係合部２４に隣接して複数設けられた突出部２６と、を備えている。
【００２１】
係合部２４は、フランジ部２３の一方の主面の外周縁に設けられ、図１及び図３に示すように、水中モータ１０側に向かって吐出ケーシング１４に配置される。係合部２４は、後述する流路部材１７の流路管３２の内径と略同一の外径に形成され、当該流路管３２と係合可能に形成されている。係合部２４は、流路管３２をフランジ部２３に位置合わせ可能に形成されている。
【００２２】
切欠部２５は、フランジ部２３の外周面からその中心に向かって、後述する流路部材１７の流路管３２の内周面よりも内側まで切欠され、電源ケーブル１６を挿通可能に形成されている。なお、図２においては、フランジ部２３は、切欠部２５を２つ有する構成を用いて説明する。
【００２３】
突出部２６は、フランジ部２３の一方の主面の外周側であって、係合部２４に隣接して設けられる板状の突起である。突出部２６は、複数、本実施の形態においては、フランジ部２３の４箇所に等間隔に配置されている。突出部２６は、その一部に、雌ねじ部２７が形成されている。
【００２４】
固定バンド１５は、帯状のバンド部６５と、その両端にナットＮにより締結可能に形成されたねじ部６６とを有している。この固定バンド１５は、吸込ケーシング１１、ケーシング１３ａ及び吐出ケーシング１４を固定可能、且つ、ねじ部６６及びナットＮにより、吸込ケーシング１１及び吐出ケーシング１４に固定可能に形成されている。
【００２５】
電源ケーブル１６は、水中モータ１０に接続されている。電源ケーブル１６は、流路部材１７内部の水中モータ１０からフランジ部２３の切欠部２５を挿通して外部電源に接続される。電源ケーブル１６は、例えば数十メールの長さであって、複数のケーブルが束ねられることで形成される。
【００２６】
流路部材１７は、フランジ部２３と、フランジ部２３の係合部２４に係合する流路管３２と、流路管３２の他方の端部に固定された第２フランジ部３３と、を備えている。
【００２７】
フランジ部２３は、流路管３２が係合することで、切欠部２５の一部が流路管３２により閉塞され、他部が流路管３２内に対向して開口する。フランジ部２３は、当該開口する切欠部２５により電源ケーブル１６を流路管３２内からフランジ部２３を介して外部に延出可能に形成されている。
【００２８】
流路管３２は、円筒状の管状部材であって、多段ポンプ１３、吸込ケーシング１１及び水中モータ１０の延設方向に沿って設けられる。流路管３２は、その一端側、具体的には、係合部２４と係合する端側に、突出部２６の雌ねじ孔２７とそれぞれ対向する孔部３４を備えている。流路管３２は、ボルト等の雌ねじ孔２７と螺合する締結部材Ｂにより、突出部２６に固定される。
【００２９】
流路管３２は、その内部に水中モータ１０、吸込ケーシング１１、多段ポンプ１３、吐出ケーシング１４及び固定バンド１５を収納可能、且つ、水中モータ１０の外径と所定の隙間を形成する内径に形成されている。ここで、所定の隙間とは水中モータ１０の側面の水の流れが最低流速を確保できる隙間である。
【００３０】
即ち、流路管３２は、その内周面と水中モータ１０の外周面との隙間の開口により、吸込ケーシング１１から吸込まれる水の流路を形成するとともに、当該開口を通過する水の流速が水中モータ１０を冷却可能な最低流速となる断面積となるように形成されている。
【００３１】
ストレーナ１８は、吸込ケーシング１１内に吸込まれる水に含有される異物を遮断可能に形成されている。
【００３２】
このように構成された水中ポンプ１は、電源ケーブル１６を介して水中モータ１０に電力が供給されると、水中モータ１０内の回転子が回転し、当該回転に追従して回転軸が回転する。この回転軸の回転により、複数のケーシング１３ａ内のインペラが回転し、ケーシング１３ａ内の水を増圧し、吐出ケーシング１４から水中ポンプ１の二次側へと送水する。
【００３３】
また、多段ポンプ１３によりその内部の水が圧送されると、一次側が低圧となることから、吸込ケーシング１１に水が流入するため、井戸Ｖ内から吸込ケーシング１１間での水の流れが発生する。この水の流れとしては、井戸Ｖ中から流路管３２の他端側の開口を介して流路管３２内に進入し、流路管３２と水中モータ１０との間の流路を通過し、吸込ケーシング１１に移動する。この移動の際に、通過する水が水中モータ１０の外表面と熱交換を行うことで、水中モータ１０が冷却される。
【００３４】
このように構成された水中ポンプ１によれば、水中モータ１０と流路管３２との間の隙間（開口）により、井戸Ｖから吸込ケーシング１１までの流路が形成される。また、水中モータ１０と流路管３２との流路の面積は、流路管３２の内径により管理することが可能となるため、当該流路を流れる水の流速を所定の流速とすることが可能となる。
【００３５】
即ち、当該流路の面積によって、水中モータ１０が冷却可能な流速とすることで、確実に水中モータ１０を冷却することが可能となる。
【００３６】
また、水中ポンプ１は、水中モータ１０の冷却が確実に行うことが可能となることで、井戸Ｖの内径によらずに水中ポンプ１を用いることが可能となり、汎用性が向上する。
【００３７】
さらに詳しく説明すると、水中ポンプ１に用いられる水中モータ１０は、その駆動により発生する熱を、井戸水Ｗにより熱交換を行い冷却する構成である。このため、水中モータ１０は、その据付条件として、水中モータ１０の側面を流れる水の最低流速が決められている。従来では、水中モータ１０と井戸Ｖとの隙間を流路としていたことから、水中ポンプは、井戸Ｖの内径が所定の内径の場合にのみ据付が可能であった。井戸Ｖの内径が、所定の内径よりも大径の井戸Ｖに据え付けると、水中モータ１０の周囲の流速が所定の流速よりも低くなり、結果、冷却不足による水中モータ１０の温度の異常上昇にもなる。
【００３８】
しかし、本実施形態の水中ポンプ１は、水中モータ１０の周囲の流速を、水中モータ１０及び流路管３２の隙間により所定の流速が確保できるため、井戸Ｖの内径によらず水中ポンプ１の据付が可能となる。
【００３９】
また、水中ポンプ１は、フランジ部２３に切欠部２５を設けるとともに、第２フランジ部２３及び流路管３２により、切欠部２５の一部を閉塞することで、流路管３２内に対向する切欠部２５の部位のみが開口することとなり、当該部位から電源ケーブル１６を外部に延出させることが可能となる。また、電源ケーブル１６は、流路管３２をフランジ部２３から取り外すことで切欠部２５に挿入可能であることから、束ねられた電源ケーブル１６自体を解く必要がなく、電源ケーブル１６の切欠部２５への挿通が容易となる。
【００４０】
また、水中ポンプ１は、ストレーナ１８を有する構成とすることで、流路管３２内及び多段ポンプ１３内に異物が進入することを防止可能となる。
【００４１】
また、流路管３２は、フランジ部２３の外周縁に設けられた係合部２４に係合されて、締結部材Ｂにより突出部に固定される構成であるため、水中ポンプ１の外径は、締結部材Ｂのヘッド部を除けば、実質的に、流路管３２の外径と同一となる。このため、最低流速を確保しつつ、水中ポンプ１の外形状を極力小型化とすることが可能となり、据付が可能な井戸Ｖの形状が増大することから、汎用性が向上する。
【００４２】
さらに、水中ポンプ１は、係合部２４に流路管３２を係合させることで、組立時において、流路管３２の径方向の位置合わせ、及び、軸心方向の位置合わせが可能となる。特に、水中ポンプ１は、締結部材Ｂにより流路管３２をフランジ部２３に固定する構成であるため、雌ねじ孔２７と孔部３４との位置合わせが容易となり、組立性が向上する。
【００４３】
上述したように本発明の一実施の形態に係る水中ポンプ１によれば、水中モータ１０と流路管３２とにより水中モータ１０の周囲の流速を所定の流速とすることで、井戸Ｖの内径によらず据付が可能、且つ、確実に水中モータ１０を冷却可能となる。また、水中モータ１０の大型化を極力防止することが可能となる。
【００４４】
なお、本発明は前記実施の形態に限定されるものではない。例えば、上述した例では、水中ポンプ１は、吸込ケーシング１１にストレーナ１８を設ける構成を説明したがこれに限定されない。例えば、流路管３２の他端側の開口に、別途ストレーナを設ける構成であってもよい。
【００４５】
また、上述した例では、流路管３２を一つ有する構成を説明したがこれに限定されない。即ち、水中ポンプ１は、流路管３２により、水中モータ１０との間に所定の断面積の流路を形成可能であればよい。例えば、流路管３２の両端部に孔部３４を設け、流路管３２同士を、孔部３４に締結部材を用いて結合する構成であっても良い。
【００４６】
さらに、上述した例では、フランジ部２３は、上部ケーシング２２の上面に形成されたフランジ及び吐出管のフランジ間に締結部材Ｂにより結合され、その外径が流路管３２と略同一径に形成されている構成を説明したがこれに限定されない。例えば、フランジ部２３は、複数の口径に対応可能な締結部材Ｂが挿通するピッチ穴を備えてもよい。即ち、水中ポンプ１を設置する井戸径は、例えば、１００ｍｍ、１５０ｍｍ、２００ｍｍ等のように、異なる径が存在する。このため、各井戸径に対応したポンプ口径、例えば、４０ｍｍ及び５０ｍｍ等の水中ポンプ１が適宜用いられる。ここで、ポンプ口径に合わせてフランジ部２３を形成してもよいが、例えば、締結部材Ｂが挿通するピッチ穴を長穴とすることで、ポンプ口径が異なる水中ポンプであっても、同一のフランジ部２３を用いることが可能となる。フランジ部２３を、ポンプ口径が異なる水中ポンプ１で共有可能とすることで、製造コストを低減することが可能となる。この他、本発明の要旨を逸脱しない範囲で種々変形実施可能である。
【符号の説明】
【００４７】
１…水中ポンプ、１０…水中モータ、１１…吸込ケーシング、１３…多段ポンプ、１３ａ…ケーシング、１４…吐出ケーシング、１５…固定バンド、１６…電源ケーブル、１７…流路部材、１８…ストレーナ、２１…下部ケーシング、２２…上部ケーシング、２３…フランジ部、２４…係合部、２５…切欠部、２６…突出部、２７…雌ねじ孔、３２…流路管、３３…フランジ部、３４…孔部、６５…バンド部、６６…ねじ部、Ｂ…締結部材、Ｎ…ナット、Ｖ…井戸、Ｗ…井戸水。
【図１】
2014145332.tif 000003
【図２】
2014145332.tif 000004
【図３】
2014145332.tif 000005